(57)【要約】【課題】表示板の角度の調整又は変更を簡便な作業にて行うことができ、また作業時の部材の紛失の恐れも小さくできる表示板の取付構造及び表示装置を提供する。【解決手段】取付部材１及び支持部材２に各々設けられた凹凸部１４及び２４が噛合されることで、表示板１０に風荷重等がかかっても表示板１０は回転することなく取付角度は強固なものとなるが、ボルトＢ２をねじ孔２３に緊結するのみで表示板１０の取り付けを行うことができるようになされていることで、表示板１０の角度の調整又は変更の作業時にもボルトＢ２を緩めて、再度緊結するのみで簡便な作業にて行うことができ、更に作業時にボルトＢ２を外さないか、又はボルトＢ２のみを取り外すことで作業を行うことができ、部材の紛失の恐れも小さくできる。【参照図】        図６【特許請求の範囲】
【請求項１】
表示板が支柱に複数方向に取り付け可能となされた取付構造であって、前記表示板及び支柱にはそれぞれ筒状の取付部及び支持部を備えた取付部材及び支持部材が設けられ、前記取付部と支持部には、一方にはボルトが挿通可能なボルト孔が、他方にはボルトが螺着可能なねじ山が螺刻されたねじ孔がそれぞれ上下方向に穿設され、前記ボルト孔及びねじ孔の周囲に噛合可能な鋸歯状の凹凸部が各々に設けられ、前記ボルト孔にボルトを挿通して該ボルトを前記ねじ孔に緊結することで前記凹凸部同士が噛合されて表示板の取付角度が固定され、前記ボルトを緩めることで前記凹凸部同士の噛合が開放されて前記表示板の取付角度が変更可能となされることを特徴とする表示板の取付構造。
【請求項２】
前記支柱は、取付溝が上下方向に延設され、該取付溝を用いて前記支持部材が任意の場所に取り付け可能となされていることを特徴とする請求項１に記載の表示板の取付構造。
【請求項３】
前記支持部材は、支柱側の部材取付部と補完形状となされた支柱取付部が設けられ、該支柱取付部は表示板側に拡げられた断面Ｖ字型となされ、前記支柱取付部と前記部材取付部に嵌入されて取り付けられていることを特徴とする請求項１又は２に記載の表示板の取付構造。
【請求項４】
請求項１〜３のいずれかに記載の表示板の取付構造による表示板を備えていることを特徴とする表示装置。
【発明の詳細な説明】
【技術分野】
【０００１】
本発明は、道路標識や案内板等の表示板を支柱に角度自在に取り付けることができる表示板の取付構造及び表示板に関するものである。
【背景技術】
【０００２】
道路標識や案内板等の表示板を支柱に角度自在に取り付けることができる表示板の取付構造としては、例えば本出願人による特許文献１において、支柱取付部及び表示板取付部に内面が凹凸となされた断面円形状の通孔を設け、この通孔に外面が凹凸となされた取付具が挿入される構造とすることで、凹凸のピッチの整数倍回転されることにより支柱に表示板が角度自在に取り付けることができるようになされた表示板の取付構造が開示されている。
【０００３】
【特許文献１】特開平８−２０２２７０号公報
【発明の開示】
【発明が解決しようとする課題】
【０００４】
しかしながら、特許文献１に記載の如き従来の表示板の取付構造では、設置後に表示板の角度を調整又は変更しようとすると、ビスを緩めて取付具を通孔から抜き取って取り外し、表示板の角度を変更して再度通孔に取付具を挿入してビスを螺着するといった、煩雑な作業が必要となり、また角度の変更時に表示板や支柱から取り外される部材も多く、作業時における部材の紛失も懸念されるものであった。
【０００５】
本発明は上記の如き課題に鑑みてなされたものであり、表示板の角度の調整又は変更を簡便な作業にて行うことができ、また作業時の部材の紛失の恐れも小さくできる表示板の取付構造及び表示装置を提供せんとするものである。
【課題を解決するための手段】
【０００６】
上記目的を達成するため、本発明は以下のような構成としている。すなわち、本発明に係わる表示板の取付構造は、表示板が支柱に複数方向に取り付け可能となされた取付構造であって、前記表示板及び支柱にはそれぞれ筒状の取付部及び支持部を備えた取付部材及び支持部材が設けられ、前記取付部と支持部には、一方にはボルトが挿通可能なボルト孔が、他方にはボルトが螺着可能なねじ山が螺刻されたねじ孔がそれぞれ上下方向に穿設され、前記ボルト孔及びねじ孔の周囲に噛合可能な鋸歯状の凹凸部が各々に設けられ、前記ボルト孔にボルトを挿通して該ボルトを前記ねじ孔に緊結することで前記凹凸部同士が噛合されて表示板の取付角度が固定され、前記ボルトを緩めることで前記凹凸部同士の噛合が開放されて前記表示板の取付角度が変更可能となされることを特徴とするものである。
【０００７】
また前記支柱は、取付溝が上下方向に延設され、該取付溝を用いて前記支持部材が任意の場所に取り付け可能となされていることを特徴とするものである。
【０００８】
また前記支持部材は、支柱側の部材取付部と補完形状となされた支柱取付部が設けられ、該支柱取付部は表示板側に拡げられた断面Ｖ字型となされ、前記支柱取付部と前記部材取付部に嵌入されて取り付けられていることを特徴とするものである。
【０００９】
また本発明に係わる表示装置は、本発明請求項１〜３のいずれかに記載の表示板の取付構造による表示板を備えていることを特徴とするものである。
【発明の効果】
【００１０】
請求項１に記載の本発明に係わる表示板の取付構造によれば、取付部材及び支持部材に各々設けられた凹凸部が噛合されることで、表示板に風荷重等がかかっても表示板は回転することなく取付角度は強固なものとなるが、ボルトをねじ孔に緊結するのみで表示板の取り付けを行うことができるようになされていることで、表示板の角度の調整又は変更の作業時にもボルトを緩めて、再度緊結するのみで簡便な作業にて行うことができ、更に作業時にボルトを外さないか、又はボルトのみを取り外すことで作業を行うことができ、部材の紛失の恐れも小さくできる。
【００１１】
また請求項２の発明によれば、支柱の取付溝が上下方向に延設されていることで、表示板を上下方向に任意の場所及び／又は数だけ取り付けることが可能となり、支柱を同じものとしても表示板の取付位置や取付数を種々のものとしてバリエーションを拡大することができ好ましい。
【００１２】
また請求項３の発明によれば、表示板に風荷重等により水平方向への強いモーメントがかかっても、補完形状となされた部材取付部と支柱取付部とが嵌合されていることで表示板の角度が変わることが抑えられるが、支柱取付部が表示板側に拡がった断面Ｖ字型となされていることで、支柱取付部から伝達されるモーメントを部材取付部は鉛直方向に近い角度で受けることができ、より強いモーメントに対しても表示部の角度を変わりにくくすることができ好ましい。
【００１３】
また請求項４に記載の本発明に係わる表示装置によれば、屋外に設置され、風荷重等により表示板に極めて強いモーメントがかかった場合でも表示板の取付角度が変わりにくく、また表示内容や誘導方向が頻繁に変わる場合でも容易に対応可能な表示装置を得ることができる。
【発明を実施するための最良の形態】
【００１４】
本発明に係わる最良の実施の形態について、図面に基づき以下に具体的に説明する。
【００１５】
図１は、本発明に係わる表示板の取付構造が適用された表示装置を示す正面図である。誘導サインである表示装置１００は、地表から立設された支柱４に板状の表示板１０が取り付けられて形成され、表示板１０の表示面に記載された矢印と、表示板１０の設置された角度とにより、利用者が目的とする対象物への移動方向を認識するものである。表示板１０の支柱４に対しての取り付けは、表示板１０側に設けられた取付部材１と、支柱４側に設けられた支持部材２とが上下に位置されてボルト（本図においては図示せず）により固定されている。支柱４の、表示板１０が配置された前面側には、横方向にライン３１が入ったカバー材３が取り付けられ、ライン３１により左右方向への連続感が呈されて表示板１０の誘目性を高めるようになされている。尚、以下に位置関係を説明するにおいて、取付部材１と支持部材２とが取り付けられた位置を挟んで、支柱４側を支柱側α、表示板１０側を表示板側βとして説明する。
【００１６】
図２は、取付部材を説明するもので、イ）は表示板側βからの正面図、ロ）は下方からの平面図、ハ）はイ）のＡ−Ａ断面図である。まずイ）において、アルミニウム鋳物からなり一体成形された取付部材１は、円筒状の取付部１１と平面矩形の板状部１２とを備え、板状部１２の上下方向の中心から上方に上下方向に延びる円筒状の取付部１１が設けられ、取付部１１には上下方向に坐繰り孔状のボルト孔１３が設けられている。取付部１１の下面には、鋸歯状の凹凸部１４が形成されている。板状部１２の四隅には、表示板１０を取り付ける坐繰り穴状の取付孔１５が穿設されている。
【００１７】
次にロ）に示す如く、取付部１１は表示板側β、板状部１２は支柱側αに設けられ、取付部１１は円筒状となされ円筒状の中心にボルト孔１３が穿設されている。ボルト孔１３の周囲を囲んで放射状に凹凸部１４が設けられているが、便宜上、凹凸の山を実線、谷を波線で示している。凹凸の山と谷は１１．２５゜で等間隔で設けられ、凹凸のピッチθは２２．５゜である。板状部１２の表示板１０が取り付けられる側には縁部１２１が設けられ、縁部１２１の間に表示板１０が嵌着されることで、水平方向のモーメントにより表示板１０が取付部材１からずれにくくなされている。またハ）に示す如く、ボルト孔１３は坐繰り孔状で上方から挿通されたボルトの頭部が隠されるようになされており、取付部１１と板状部１２とは、取付部材１が鋳物で形成されることで強固に一体化されたものとなされている。
【００１８】
図３は、支持部材を説明するもので、イ）は表示板１０側からの正面図、ロ）は上方からの平面図、ハ）はイ）のＢ−Ｂ断面図である。まずイ）において、同じくアルミニウム鋳物からなり一体成形された支持部材２は、円筒状の支持部２１と平面矩形の支柱取付部２２とを備え、支柱取付部２２の上下方向の中央から下方に上下方向に延びる支持部２１が設けられている。支持部２１にはねじ孔２３が設けられると共に、上面には鋸歯状の凹凸部２４が形成されている。また支柱取付部２１には、支柱４への取付用のボルトを挿通する坐繰り孔状の取付孔２５が穿設されている。
【００１９】
次にロ）に示す如く、支持部２１は円筒状となされ、円筒状の中心にねじ孔２３が穿設され、ねじ孔２３の周囲を囲んで放射状に、取付部材１の凹凸部１４と噛合可能な凹凸部２４が設けられているが、便宜上、凹凸の山を実線、谷を波線で示している。凹凸の山と谷は、取付部材１のものと同様に１１．２５゜で等間隔で設けられ、凹凸のピッチθは２２．５゜であるが、表示板１０の取付角度が支柱に対して０゜や９０゜とできるよう、取付部材１の凹凸部１４とは山と谷の位置関係が逆となされている。支柱取付部２１は、表示板側に拡げられた断面Ｖ字型となされている。更にまた、ハ）に示す如くねじ孔２３は内面にねじ山が螺刻され、ボルト孔１３に挿通されたボルトが螺着可能となされている。支持部２１と支柱取付部２２とは、支持部材２が鋳物で形成されることで強固に一体化されたものとなされている。尚、図２及び図３に示した取付部材１及び支持部材２において、ボルト孔１３とねじ孔２３は逆の関係でもよく、取付部材１にねじ孔、支持部材２にボルト孔１３を設けてもよい。
【００２０】
図４は、支柱４の詳細を示すもので、イ）は斜視図、ロ）は上方からの断面図である。支柱４はアルミニウム製の押出形材からなり、上下方向に同一の断面が連続して形成されている。断面矩形の長辺を形成する表裏面４１にはカバー材３取り付け用のボルト又はナットを挿入する蟻溝状の挿入溝４２が各々二本ずつ上下方向に延設されている。断面矩形の短辺を形成する両側面４３には、断面Ｖ字状に表示板側に拡げられて開口された部材取付部４４が上下方向に延設され、部材取付部４４の支柱４側の底部には支持部材２の取り付けに用いる蟻溝状の取付溝４５が同じく上下方向に延設されている。支柱４は上下方向に同一断面が連続していることで、取付溝４５も上下方向に連続して設けられたものとなり、支柱４の上下方向の任意の位置や数で表示板１０を取り付けることができるようになされている。更に取付溝４５の支柱４中心側の壁面には、支持部材２取付用のボルトを挿入して上下方向へのずれを防止するボルト挿入孔４６が上下方向に適宜間隔をおいて設けられる。支柱４の断面中央は、ボックス形状の中空部４７Ａ及び４７Ｂが形成されて、支柱４の上下方向の剛性が高められるようになされている。
【００２１】
図５は、取付溝４５に挿入され、支持部材２の取り付けに係わるスペーサーの詳細を示すもので、イ）は平面図、ロ）は上方からの断面図である。スペーサー５は、アルミニウム製の押出形材からなり上下方向に同一の断面が連続するもので、上下方向の長さは支持部材２と略同一となされている。スペーサー５は、蟻溝状の取付溝４５内に挿入され且つ嵌着されるよう断面略凸字状の形状となされ、支柱側αに開口され支持部材２の取り付けに係わるナットを摺動させて挿入可能な蟻溝状の５４が設けられている。断面凸字状の両側の張り出し部５１は取付溝４５の開口部分より幅広となされることで取付溝４５からスペーサー５が表示板側βに抜けないようになされる。また張り出し部５１間の表示板側βには取付壁面５２が設けられ、取付壁面５２に支持部材２の取り付けに係わるボルトが挿通されるボルト挿通孔５３が穿設されている。
【００２２】
上記の、取付部材１及び支持部材２を用いて、表示板１０は支柱４に図６に示す如く取り付けられる。まず、支柱４の部材取付部４４に、支持部材２の支柱取付部２２が嵌着され、取付孔２５にボルトＢ１が挿通され、ボルトが取付溝４５に挿入されたスペーサーのナット挿入溝に挿入されたナット（本図には図示せず）に螺着されることで、支柱４に支持部材２が取り付けられる。次に支持部材２の支持部２１上に、取付部材１の取付部１１が上下方向に重ね合わされ、支持部２１及び取付部１１の各々に設けられた鋸歯状の凹凸部１４と凹凸部２４とが噛合され、取付部材１のボルト孔１３にボルトＢ２が挿入され、ボルトＢ２が支持部材２のねじ孔２３に螺着されて緊結されることで、取付部材１が支持部材２に取り付けられる。表示板１０は、予め取付部材１に板状部１２の取付孔１５に挿通されたボルトＢ３により取り付けられており、支持部材２に取付部材１を取り付けることで表示板１０は支柱４に固定されて取り付けられることとなる。
【００２３】
ここで、凹凸部１４と凹凸部２４との噛合が上下方向でなされ、また取付部１１及び支持部２１に上下方向に挿通されたボルトＢ２を螺着及び緊結することで取付部材１と支持部材２との取り付けを行うことができるので、ボルトＢ２を緩めるのみで凹凸部１４と凹凸部２４との噛合が開放され、支持部材２に対する取付部材１の角度、すなわち支柱４に対する表示板１０の角度を自在に変更することができる。本実施形態においては、凹凸の山谷の間隔を１１．２５゜に等間隔で設けていることで、２２．５゜刻みで表示板１０の取付角度を変更することができるが、この角度や等間隔に限定されるものではなく、必要に応じて山谷の間隔を拡げる又は狭めたり、山谷を設ける間隔を不均等にするようにしてもよい。
【００２４】
最後に、支柱４の表裏面４１に断面円弧状のカバー材３が取り付けられる。カバー材３の支柱４への取り付けは、まず断面コ字状の取付プレート３２が、取付プレート３２に挿通されたボルトＢ４が挿入溝４２に挿入されたナット（図示せず）に螺着されることで表裏面４１に固定される。取付プレート３２の左右両端からはフランジ部３３が前面側又は背面側に突出され、当該フランジ部３３と、カバー材３の左右両端に設けられた切欠き部３４の側面とがビスＢ５によりビス止めされることで、ビスＢ５が外面に曝されることなく外観を良好なものとすることができる。尚、カバー材３の左右方向の幅は、支柱４の左右方向の幅と略同一となされていることで、表示板１０の取付角度を変更する際にカバー材３が表示板１０や取付部１１と当たらないようになされ、表示板１０の支柱４に対する取付角度が１８０゜の範囲となるようになされている。またカバー材３は円弧状となされていることで支柱４の表裏面４１から突出され、下方や側方から見た場合の表示装置１００の存在が認識しやすくなるようになされている。
【００２５】
図７は、支柱４に対する表示板１０の取り付け後の状態を示す上方からの断面図である。例えば表示板１０に風荷重Ｆがかかった場合、支持部材２にはモーメントＭがかかり、表示板１０の先端と支柱４との距離が大きくなるほどモーメントＭの最大値は大きくなり、支持部材２と支柱４との間にかかる荷重は大きなものとなる。支持部材２の支柱取付部２２を表示板側βに拡がった断面Ｖ字状とし、支柱４の部材取付部４４を支柱取付部２１の補完形状として支柱取付部２１を嵌着することで、モーメントＭを部材取付部４４の面で受けて応力の集中を避けることで支柱４の変形の恐れを格段に小さくするようになされている。
【００２６】
また支柱４の取付溝４５に挿入されたスペーサー５には、更にナット挿入溝５４が設けられてナットＮ１が挿入され、支持部材２の取付孔２５に挿通されたボルトＢ１がナットＮ１に螺着されて緊結されることで、支柱取付部２２とスペーサー５との間に支柱４の部材取付部４４が挟み付けられて、更に取付溝４５から支柱側αに穿設されたボルト挿通孔４６にボルトＢ１が挿通されて支持部材２の下方へのずれが防止されることで、支持部材２は支柱４に対して強固に取り付けられたものとなる。
【００２７】
また、本実施形態においては、カバー材３の取り付けを行う挿入溝４２と、支持部材２の取り付けを行う取付溝４５とが略同一の形状となされており、取付プレート３２を固定するにおいても取付溝４５と同じスペーサー５が挿入溝４２に挿入され、スペーサー５のナット挿入溝５４に挿入されたナットＮ２にボルトＢ４が螺着されることで、スペーサー５を用いて取付プレート３２の取り付けが容易となり、また同じスペーサー５を用いることができ、部材種類を低減し施工の簡便化を図ることができる。
【００２８】
表示板１０は、種々の情報を周囲に伝達するものであり、単に文字や記号等を描画したものや、内照式やドットマトリックス式など発光するもの等、適宜のものを用いることができる。表示装置１００は、支柱４に表示板１が取り付けられるようになされていればその取り付け形態は特に限定されるものではないが、表示板１０が支柱４に片持ち状に取り付けられるものであれば、本発明を適用する利点がより大きくなり好ましい。
【図面の簡単な説明】
【００２９】
【図１】本発明に係わる表示装置の、実施の一形態を示す正面図である。
【図２】本発明に係わる表示板の取付構造における取付部材の一例を示す説明図である。
【図３】本発明に係わる表示板の取付構造における支持部材の一例を示す説明図である。
【図４】本発明に係わる表示板の取付構造における支柱の一例を示す説明図である。
【図５】本実施形態に用いられるスペーサーの詳細を示す説明図である。
【図６】本発明に係わる表示板の取付構造の、実施の一形態を示す説明図である。
【図７】図６の取り付け後の状態を示す断面図である。
【符号の説明】
【００３０】
１    取付部材
１１  取付部
１３  ボルト孔
１４  凹凸部
２    支持部材
２１  支持部
２２  支柱取付部
２３  ねじ孔
２４  凹凸部
３    カバー材
４    支柱
４４  部材取付部
４５  取付溝
１０  表示板
１００  表示装置
α    支柱側
β    表示板側
【図１】
2006037569.tif 000002
【図２】
2006037569.tif 000003
【図３】
2006037569.tif 000004
【図４】
2006037569.tif 000005
【図５】
2006037569.tif 000006
【図６】
2006037569.tif 000007
【図７】
2006037569.tif 000008